(57)【要約】【課題】  事業所、一般家庭等から排出される生ごみ等の有機廃棄物を再生処理して、家畜糞尿、剪定枝、刈草、刈芝等の他の有機廃棄物の発酵を促進するための発酵促進材として使用し、家畜糞尿等を堆肥として利用することを可能とする有機廃棄物の再生処理方法を提供する。【解決手段】  有機廃棄物に媒体材を混合して得られた発酵促進材を、家畜糞尿、剪定枝、刈草、刈芝等の他の有機廃棄物に混合して発酵を促進して堆肥を得る。媒体材には、乾燥コーヒーかす、ふすままたは椰子殻繊維、発酵菌を混合したものを使用することができる。乳牛糞尿の堆肥化の場合には、乳牛糞尿１トンに対して発酵促進材を０．４トン乃至０．６トン混合し、乳牛糞の堆肥化の場合には、乳牛糞１トンに対して発酵促進材を０．３トン乃至０．５トン混合する。【選択図】  図１
2004277283.tif 000002
【特許請求の範囲】
【請求項１】
有機廃棄物に媒体材を混合して得られた発酵促進材を、他の有機廃棄物に混合して発酵を促進して堆肥を得ることを特徴とする有機廃棄物の再生処理方法。
【請求項２】
前記媒体材は、乾燥コーヒーかす、ふすままたは椰子殻繊維、発酵菌からなることを特徴とする請求項１記載の有機廃棄物の再生処理方法。
【請求項３】
前記他の有機廃棄物は、家畜糞尿であることを特徴とする請求項１または２記載の有機廃棄物の再生処理方法。
【請求項４】
前記家畜糞尿は乳牛糞尿であって、該乳牛糞尿１トンに対して前記発酵促進材を０．４トン乃至０．６トン混合することを特徴とする請求項３記載の有機廃棄物の再生処理方法。
【請求項５】
前記家畜糞尿は乳牛糞であって、該乳牛糞１トンに対して前記発酵促進材を０．３トン乃至０．５トン混合することを特徴とする請求項３記載の有機廃棄物の再生処理方法。
【請求項６】
前記他の有機廃棄物は、剪定枝、刈草または刈芝、あるいはこれらの混合物であることを特徴とする請求項１または２記載の有機廃棄物の再生処理方法。
【発明の詳細な説明】
【技術分野】
【０００１】
本発明は、有機廃棄物の再生処理方法に関し、特に、有機廃棄物に媒体材を混合して得られた発酵促進材を、家畜糞尿、剪定枝、刈草、刈芝等他の有機廃棄物に混合して発酵を促進して堆肥を得ることのできる有機廃棄物の再生処理方法に関する。
【背景技術】
【０００２】
従来、事業所、一般家庭等から排出される生ごみ等の有機廃棄物は、その大部分が焼却処理、埋立地等への廃棄処分場等における廃棄処理等によって処理されてきた。
【０００３】
しかし、従来の処理方法では、ごみ焼却場から排出されるダイオキシン汚染の問題や、廃棄処分場における有機廃棄物に含まれる有害物質等の漏出による環境汚染等の問題があり、さらに、最終処分場の能力にも限界がある。
【０００４】
そのため、これら有機廃棄物を粉砕乾燥処理して、堆肥として利用する等の提案がなされているが、リサイクル率はまだ低いのが現状である。
【０００５】
一方、日本の畜産業は、後継者不足や、輸入肉の増加、畜産農家等から発せられる悪臭等の環境問題等により、生産高が減少する傾向にある。そこで、今後良好な経営状態を得るためには、大規模経営を行う必要があると言われている。
【０００６】
大規模経営を行う場合の問題点の一つとして、家畜の糞尿の処理方法が挙げられる。通常、乳牛の糞尿は含水率が高く、窒素分が少なく発酵させるのが困難であるため、乳牛糞尿をそのまま放置しただけでは発酵が完了するのに１年間もかかり、プラントを使用しても、プラントの使用前に夏場で２〜３週間、冬場は１ヶ月以上かかって水分を減少させた後、プラントで１ヶ月半程度の間発酵を促進する必要があるため、従来、乳牛糞尿はほとんど生のまま畑等に入れて処理されている。そのため、全国各地で悪臭、河川の汚染等の公害問題を発生させている。
【０００７】
この糞尿の問題を解決するため、国、県、市町村が補助金を出して堆肥製造設備等の設置を進めたり、市町村が堆肥センターを建設して、地域内で発生した家畜の糞尿を処理する場合もある。
【０００８】
また、主に、公園、河川敷、道路、一般家庭、ゴルフ場等において発生する剪定枝、刈草、刈芝等の有機廃棄物についても、従来、焼却処理等によって処理されてきたが、処理能力に限界があり、これらの有機廃棄物についても処理に苦慮している。
【０００９】
また、これらの有機廃棄物についても、発酵させて堆肥として使用する試みもなされているが、発酵が良好に行われるか否かは天候や剪定枝、刈草及び刈芝の種類、性状に影響されることも多く、特に、剪定枝に幹、根株が多い場合には、窒素分が少なく発酵しにくくなり、これまで効果的な処理方法が見出されていない。
【発明の開示】
【発明が解決しようとする課題】
【００１０】
本発明は、上記問題点に鑑みてなされたものであって、事業所、一般家庭等から排出される生ごみ等の有機廃棄物を再生処理して、畜産農家等で発生する家畜糞尿、公園、河川敷、道路等で発生する剪定枝、刈草、刈芝等の有機廃棄物の発酵を促進するための発酵促進材として使用し、これら家畜糞尿、剪定枝等を堆肥として利用することを可能とする有機廃棄物の再生処理方法を提供することを目的とする。
【課題を解決するための手段】
【００１１】
上記目的を達成するため、本発明は、有機廃棄物の再生処理方法であって、有機廃棄物に媒体材を混合して得られた発酵促進材を、他の有機廃棄物に混合して発酵を促進して堆肥を得ることを特徴とする。
【００１２】
そして、本発明によれば、有機廃棄物に媒体材を混合して得られた発酵促進材を、他の有機廃棄物に混合して発酵を促進して堆肥を得るため、有機廃棄物を焼却廃棄等する必要がなく、有機廃棄物から堆肥を得ることができて農作物の生産に利用することができる。
【００１３】
前記有機廃棄物の再生処理方法において、前記媒体材を、乾燥コーヒーかす、ふすままたは椰子殻繊維、発酵菌で構成することができる。これによって、入手しやすい物質を利用して有機廃棄物の再生処理を行うことができる。
【００１４】
前記有機廃棄物の再生処理方法において、前記他の有機廃棄物を、家畜糞尿とすることができる。これによって、有機廃棄物を焼却廃棄等する必要がなく、また、家畜糞尿も生のまま畑等に入れる等の必要がなく、さらに、家畜糞尿から堆肥を得ることができて農作物の生産に利用することができる。
【００１５】
前記有機廃棄物の再生処理方法において、前記家畜糞尿を乳牛糞尿とし、該乳牛糞尿１トンに対して前記発酵促進材を０．４トン乃至０．６トン混合することができる。これによって、乳牛糞尿を発酵させるための最適な含水率に調整することができて乳牛糞尿の発酵を従来よりも効率良く行うことができるとともに、乳牛糞尿から堆肥を得ることができる。
【００１６】
前記有機廃棄物の再生処理方法において、前記家畜糞尿を乳牛糞とし、該乳牛糞１トンに対して前記発酵促進材を０．３トン乃至０．５トン混合することができる。これによって、乳牛糞尿を発酵させるための最適な含水率に調整することができて乳牛糞の発酵を従来よりも効率良く行うことができるとともに、乳牛糞から堆肥を得ることができる。
【００１７】
前記有機廃棄物の再生処理方法において、前記他の有機廃棄物を、剪定枝、刈草または刈芝あるいはこれらの混合物とすることができる。これによって、有機廃棄物を焼却廃棄等する必要がなく、剪定枝等から堆肥を得ることができて農作物の生産に利用することができる。
【発明の効果】
【００１８】
以上説明したように、本発明によれば、有機廃棄物を焼却廃棄等する必要がないため、環境汚染を生じさせることがないとともに、有機廃棄物から堆肥を得ることができて農作物の生産に有効利用することが可能な有機廃棄物の再生処理方法を提供することができる。
【００１９】
また、本発明によれば、入手しやすい物質を利用して、安価に行うことができる有機廃棄物の再生処理方法を提供することができる。
【００２０】
さらに、本発明によれば、有機廃棄物を焼却廃棄等する必要がなく、家畜糞尿も生のまま畑等に入れる等の必要がないため、環境汚染を生じさせることがないとともに、家畜糞尿から堆肥を得ることができて農作物の生産に有効利用することが可能な有機廃棄物の再生処理方法を提供することができる。
【００２１】
また、本発明によれば、乳牛糞尿の発酵を従来よりも効率良く行うことができるとともに、乳牛糞尿から堆肥を得ることが可能な有機廃棄物の再生処理方法を提供することができる。
【００２２】
さらに、本発明によれば、乳牛糞の発酵を従来よりも効率良く行うことができるとともに、乳牛糞から堆肥を得ることが可能な有機廃棄物の再生処理方法を提供することができる。
【００２３】
また、本発明によれば、有機廃棄物を焼却廃棄等する必要がなく、剪定枝等から堆肥を得ることができて農作物の生産に有効利用することが可能な有機廃棄物の再生処理方法を提供することができる。
【発明を実施するための最良の形態】
【００２４】
次に、本発明にかかる有機廃棄物の再生処理方法の実施の形態の具体例を図面を参照しながら説明する。
【００２５】
図１は、本発明にかかる有機廃棄物の再生処理方法の概念を示す図である。この図に示すように、まず、事業所、一般家庭等から排出される生ごみ等の有機廃棄物を媒体材とともに生ごみ処理機に投入し、発酵促進材を製造する。
【００２６】
ここで、使用される生ごみ処理機の種類、大きさ等は特に限定されることはなく、例えば、攪拌羽根を有する一般的な生ごみ処理機を使用することができる。
【００２７】
生ごみ処理機の性能としては、発酵槽内の攪拌羽根により生ごみを効率良く破砕し、媒体材と生ごみの混合を良好に行い、生ごみが含有している水分及び発酵分解によって発生する水分を上部に排出することが重要であり、発酵槽底部にパネルヒータ、発酵槽の上部に温風ヒータを用いること等により、槽内温度を５０℃〜７５℃に保持することによって槽内の水分を気化するとともに、微生物の働きを安定化させることが重要である。また、排気ファンにより気化された水分を発酵槽の外に排出することも重要である。
【００２８】
媒体材としては、例えば、乾燥コーヒーかす、ふすま（小麦の皮）または椰子殻繊維、発酵菌を混合したものが使用される。
【００２９】
上記生ごみ処理機及び媒体材を使用して、装置からの排出物（以後「発酵促進材」という）の含水率を３０％以下とすることが好適であり、発酵菌の働きにより病原菌等の繁殖を押さえることができる。
【００３０】
上記発酵促進材を、畜産農家、堆肥製造施設等において、家畜糞尿と混合し、発酵の促進を図る。尚、この発酵促進材は、家畜糞尿と混合して家畜糞尿の水分を調節することにより発酵を促進するのみならず、発酵促進材に含まれる発酵菌の働きによっても家畜糞尿の発酵を促進するものであって、従来使用されているおが粉等を使用して単に家畜糞尿の水分調整をするものとは根本的に異なるものである。
【００３１】
また、現在では、家畜糞尿の水分調整をするために使用されるおが粉を入手するのが容易ではなく比較的高価なものとなっているため、乾燥コーヒーかす、ふすままたは椰子殻繊維、発酵菌を混合して得られた媒体材によって水分調整及び発酵促進を行うことは、経済性の上からも好ましいものである。
【００３２】
上記のようにして得られた有機堆肥は農家において利用され、農家で栽培された有機野菜は事業所、一般家庭等に還元されて一連のサイクルが完了する。
【００３３】
図２は、本発明にかかる有機廃棄物の再生処理方法のもう一つの実施例の概念を示す図である。本実施例では、剪定枝、刈草、刈芝を堆肥化している。
【００３４】
この図に示すように、まず、上記実施例の場合と同様に、事業所、一般家庭等から排出される生ごみ等の有機廃棄物を媒体材とともに生ごみ処理機に投入し、発酵促進材を製造する。
【００３５】
上記発酵促進材を、公園、河川敷、道路、一般家庭、ゴルフ場等において発生した剪定枝、刈草、刈芝等と現場または堆肥製造施設等で混合し、発酵の促進を図る。尚、剪定枝、刈草及び刈芝については、家畜糞尿よりも含水率が少ないため、おが粉等を使用した水分調整をする必要はなく、上記発酵促進材は、発酵促進材に含まれる発酵菌の働きによって剪定枝、刈草及び刈芝の発酵を促進するために使用される。
【００３６】
そして、得られた有機堆肥は農家、緑化事業において利用され、農家で栽培された有機野菜は事業所、一般家庭等に還元される。
【００３７】
以下、まず最初に、上記発酵促進材を乳牛糞尿に対して使用する場合について説明する。
【００３８】
例えば、乳牛１頭が排泄する糞尿の量は、糞が約３０ｋｇ／日であり、尿が約２０ｋｇ／日であり、合計約５０ｋｇ／日である。また、糞尿の含水率は約８８％、糞のみの含水率は約８１％である。
【００３９】
そして、発酵促進材の含水率を約２０％とすると、糞尿を発酵させるための最適な含水率は、６５±５％であるため、表１に示すように、乳牛の糞尿１トン（ｔ）に対して発酵促進材を０．４トン乃至０．６トン混合すると最適な含水率となる。
【００４０】
【表１】
2004277283.tif 000003
【００４１】
一方、糞のみに対して発酵促進材を使用する場合には、表２に示すように、糞１トンに対して発酵促進材を０．３トン乃至０．５トン混合すると最適な含水率となる。
【００４２】
【表２】
2004277283.tif 000004
【００４３】
そして、上記のようにして乳牛糞尿を発酵させると、約１ヶ月半以内に発酵が進み、堆肥として農家等で利用することができる。
【００４４】
さらに、農家等において、上記乳牛糞尿を堆肥として生産された農産物を、有機廃棄物の発生元である事業所、一般家庭等が利用することで、有機廃棄物を完全に再生処理することができる。
【００４５】
次に、上記発酵促進材を乳牛糞の発酵に使用した場合の試験例について説明する。
【００４６】
ファミリーレストランから排出された生ごみに、乾燥コーヒーかす、ふすま、発酵菌を混合して得られた発酵促進材と、乳牛糞とを牧場において混合比を変えて混合し、発酵温度を測定した。
【００４７】
試験方法としては、１．５トンの発酵促進材を２山に分け、この山と同量の乳牛糞を３山に分け、上記発酵促進材と乳牛糞を、図３に示すように、発酵促進材１：乳牛糞１（ケースＡ）、発酵促進材１：乳牛糞２（ケースＢ）の２ケースについて乳牛糞の発酵温度を測定した。
【００４８】
尚、４日乃至２週間に一回の割合で、発酵促進材と乳牛糞との混合及び好気性発酵菌を大気に効率的に触れさせることを目的として、両者を攪拌、転置するいわゆる切り返しを行ない、乳牛糞の発酵臭が弱くなった時点で試験を終了することとした。
【００４９】
次に、上記試験の結果について、乳牛糞の発酵温度の推移を示す図４を参照しながら説明する。
（１）ケースＡについては、１日目の発酵温度が６３℃、ケースＢについては発酵温度が３８℃と、発酵の立ち上がりはケースＡの方が早く、ケースＢが６０℃台に達したのは試験開始後８日目であった。
（２）ケースＡは１日目から１９日目まで、略々６０℃台の前半を安定して推移した。一方、ケースＢは１２日目に７０℃に達した。ケースＢはケースＡに比較して発酵の立ち上がりは遅かったが、７０℃に達するのはケースＡより早いという結果になった。
（３）ケースＡは２０日目に急激に温度が上昇して８０℃台に達し、その後試験の完了まで高い温度を保った。一方、ケースＢは１２日目から７０℃台となり以後も安定した温度を維持した。
（４）ケースＡは２０日目以降の８０℃台の高い温度での発酵により焼けた状態となった。一方、ケースＢは８０℃台に達することはなかった。尚、発酵温度の最適値は、６０〜８０℃であり、８０℃を越えると水を掛ける等して温度を下げた方がより良いといわれている。
（５）発酵臭は、１ヶ月を経過した程度から、ケースＡ、Ｂともに弱くなった。
（６）以上、今回の試験によって、発酵促進材が乳牛糞の発酵促進に有効であることが明確に認められた。乳牛糞尿と発酵促進材との混合比の点で、ケースＡ、Ｂとも特に問題はないが、ケースＡの場合の発酵温度の上昇に対しては適正な温度管理が要求される。
【００５０】
尚、上記実施例においては、発酵促進材を乳牛糞尿に使用した場合について説明したが、他の肉牛糞、豚糞その他含水率の高い有機廃棄物についても同様に適用することができる。
【００５１】
次に、上記発酵促進材を剪定枝及び刈草に対して使用する場合について説明する。
【００５２】
例えば、剪定枝の含水率を３５％、刈草の含水率を７５％とし、剪定枝３：刈草７の割合で混合すると、混合物の含水率は６３％となり、発酵させるための最適な含水率６５±５％の範囲に入るため、上記乳牛糞尿の場合のような水分調整の必要はない。
【００５３】
そのため、従来は、おが粉等の添加物を使用することなく、混合物をそのまま放置して発酵させている。この場合、むしろ発酵により混合物の温度が上がりすぎて発酵の促進が妨げられるため、１週間に１回程度切り返しを行う際に散水をして水分を加えている。また、剪定枝に幹、根株が多い場合には、窒素分が少なく発酵しにくくなる。
【００５４】
本発明では、このような剪定枝及び刈草についても発酵促進材を加えて発酵を促進し、堆肥として農家等で利用することを可能としている。
【００５５】
以下、上記発酵促進材を剪定枝及び刈草の発酵に使用した場合の試験例について説明する。
【００５６】
試験方法としては、細かく破砕された剪定枝１０００リットルと、刈草１０００リットルの山を２つ作り、図５に示すように、１つの山に発酵促進材２０リットルを混合したもの（ケースＡ）、もう一方の山は、発酵促進材を加えずにそのままの状態として（ケースＢ）、これらの山の発酵温度を測定した。尚、使用した発酵促進材は、ファミリーレストランから排出された生ごみに、乾燥コーヒーかす、椰子殻繊維、発酵菌を混合して得られたものである。
【００５７】
尚、１０日に一回の割合で、発酵促進材と剪定枝及び刈草との混合及び好気性発酵菌を大気に効率的に触れさせることを目的として切り返しを行なった。
【００５８】
次に、上記試験の結果について、剪定枝及び刈草の発酵温度の推移を示す図６を参照しながら説明する。
（１）ケースＡについては、発酵促進材を混合した翌日から発酵温度が６０℃台に達し、７日目には既に８０℃に達した。一方、ケースＢについては、発酵温度が６０℃台に達したのは試験開始後１５日目であった。
（２）ケースＡは、７０℃台に達した後も安定して７０℃以上を保持したが、ケースＢについては、６５℃が最高であって、７０℃に達することはなかった。
（３）以上、今回の試験によって、ケースＡはケースＢよりも温度の上昇が早く、発酵温度も安定して高水準を推移しており、発酵促進材が剪定枝及び刈草の発酵促進に有効であることが明確に認められた。
【００５９】
尚、上記試験例においては、発酵促進材を家畜糞尿、剪定枝及び刈草等の有機廃棄物に混合し、屋外にそのまま放置して数回の切り返しを行うことによって発酵を促進したが、発酵用回転ドラム、回転アームを有する屋根付き円形発酵装置、撹拌装置を有する横型発酵槽、複数の回転羽根を備えた円筒状発酵槽等従来より一般的に使用されているプラントにおいても同様に使用できる。
【００６０】
尚、上記実施例においては、有機廃棄物に媒体材を混合して得られた発酵促進材を加えることによって堆肥化される他の有機廃棄物として、家畜糞尿、剪定枝、刈草、刈芝等の場合について説明したが、その他の有機廃棄物、例えば、農家、市場、農協等において発生する農作物の残渣等の有機廃棄物についても本発明を適用することができる。
【００６１】
さらに、媒体材とともに生ごみ処理機に投入され、発酵促進材を製造するための事業所、一般家庭等から排出される生ごみ等の有機廃棄物についても、事業所等から排出された生ごみ等をそのまま使用する場合に限られず、予め減容したものを使用できることはもちろんである。
【図面の簡単な説明】
【００６２】
【図１】本発明にかかる有機廃棄物の再生処理方法の一実施例を示す概念図である。
【図２】本発明にかかる有機廃棄物の再生処理方法のもう一つの実施例を示す概念図である。
【図３】本発明にかかる有機廃棄物の再生処理方法の試験例において、発酵促進材と、乳牛糞の混合要領を説明するための概略図である。
【図４】本発明にかかる有機廃棄物の再生処理方法の試験例において、乳牛糞の発酵温度の推移を示すグラフである。
【図５】本発明にかかる有機廃棄物の再生処理方法の試験例において、剪定枝及び刈草と発酵促進材の混合要領を説明するための概略図である。
【図６】本発明にかかる有機廃棄物の再生処理方法の試験例において、剪定枝及び刈草の発酵温度の推移を示すグラフである。
【図１】
2004277283.tif 000005
【図２】
2004277283.tif 000006
【図３】
2004277283.tif 000007
【図４】
2004277283.tif 000008
【図５】
2004277283.tif 000009
【図６】
2004277283.tif 000010